(57)【要約】      （修正有）【課題】ビデオの生成および収集のためのＰＸＩ装置を提供する。【解決手段】１つ以上の被試ビデオ表示システムおよび／または１つ以上のビデオ源から異なるビデオ・フォーマットを備える複数の入力ビデオ信号を収集するビデオ信号を収集する収集手段２１と、１つ以上の入力同期信号を受信する入力同期信号受信手段２１と、１つ以上の前記入力ビデオ信号を処理し、１つ以上の前記入力ビデオ信号からフレームを取り込む入力ビデオ信号処理手段２１と、異なるビデオ・フォーマットを備える複数のビデオ・テスト・パターンを生成かつ出力するビデオ・テスト・パターン生成手段２２と、異なるビデオ・フォーマットを備え、かつ、それぞれ、それぞれの入力同期信号と同期している１つ以上のビデオ信号を生成かつ出力する同期ビデオ信号生成手段２２とを備える。【選択図】図１
0003185767.tif 000002
【実用新案登録請求の範囲】
【請求項１】
ＰＸＩ技術に基づくビデオ生成・収集装置（２）であって、
・１つ以上の被試ビデオ表示システムおよび／または１つ以上のビデオ源から異なるビデオ・フォーマットを備える複数の入力ビデオ信号を収集することと、
・１つ以上の入力同期信号を受信することと、
・１つ以上の前記入力ビデオ信号を処理することと、
・１つ以上の前記入力ビデオ信号からフレームを取り込むことと、
・異なるビデオ・フォーマットを備える複数のビデオ・テスト・パターンを生成かつ出力することと、
・異なるビデオ・フォーマットを備え、かつ、それぞれ、それぞれの入力同期信号と同期している１つ以上のビデオ信号を生成かつ出力すること
を行うように設計されるビデオ生成・収集装置（２）。
【請求項２】
ソフトウェアを経由し、かつ、ＰＸＩバスにより完全に制御可能であるように設計される請求項１に記載のビデオ生成・収集装置。
【請求項３】
時間および振幅に関して完全にプログラム可能なビデオ出力インターフェースを含む請求項１または２に記載のビデオ生成・収集装置。
【請求項４】
・いくつかの入力インターフェースを備え、かつ、ＰＸＩバス（１１）に接続されるように設計され、かつ、
−  前記ＰＸＩバス（１１）経由のコマンドおよび／またはコントローラ(１２)からの制御信号、および
−  前記入力インターフェース経由の電源供給、異なるビデオ・フォーマットをもついくつかの入力ビデオ信号および１つ以上の入力同期信号
を受信するように設計されるマスターＰＸＩボード（２１）と、
・いくつかのビデオ出力インターフェースを備え、かつ、前記マスターＰＸＩボード（２１）とサンドイッチ方式により機械的に結合され、かつ、
−  前記マスターＰＸＩボード（２１）からマスター・クロック信号および電源供給を受信し、かつ、
−  少なくとも１つのシリアル通信バス経由で前記マスターＰＸＩボード（２１）とデータを交換するように設計されるスレーブＰＸＩボード（２２）と
を含む請求項１〜３のいずれか一項に記載のビデオ生成・収集装置。
【請求項５】
前記マスターおよびスレーブＰＸＩボード（２１、２２）をそれらの間のデータ交換のために接続するＩ２Ｃシリアル通信バスを含む請求項４に記載のビデオ生成・収集装置。
【請求項６】
前記マスターＰＸＩボード（２１）が、
・前記入力インターフェース経由で異なるビデオ・フォーマットをもつ複数の入力ビデオ信号を収集することと、
・特殊図形処理装置（２１１）により１つ以上の前記入力ビデオ信号の図形処理を行うことと、
・前記電源の供給およびリセットを管理することと、
・前記ＰＸＩバス（１１）へのインターフェースとして動作することと、
・前記ビデオ生成・収集装置（２）全体を管理かつ制御することと
を行うように設計される請求項４または５に記載のビデオ生成・収集装置。
【請求項７】
前記スレーブＰＸＩボード（２２）が、
・異なるビデオ・フォーマットをもつ複数のビデオ・テスト・パターン、および異なるビデオ・フォーマットを備え、かつ、それぞれ、それぞれの入力同期信号と同期している１つ以上のビデオ信号を生成し、かつ、前記ビデオ出力インターフェース経由で出力することと、
・前記ビデオ出力インターフェースを管理およびプログラムすることと
を行うように設計される、請求項４〜６のいずれか一項に記載のビデオ生成・収集装置。
【請求項８】
・アナログ・ビデオ同期入力、
・デジタルＴＴＬビデオ同期入力、
・Ｙ／Ｃアナログ・ビデオ入力、
・アナログ・ブラック・バースト・ビデオ入力、
・複数のアナログＣＶＢＳビデオ入力、および
・アナログＲＧＢビデオ入力
を受信するように設計される入力インターフェースを含む、請求項１〜７のいずれか一項に記載のビデオ生成・収集装置。
【請求項９】
・時間および振幅に関してプログラム可能な合成出力インターフェースであって、
−  複数のプログラム可能なアナログＲＧＢビデオ出力、
−  複数のプログラム可能なアナログ・コンポジット・ビデオ出力、
−  複数のプログラム可能なアナログＣＶＢＳビデオ出力、
−  複数のプログラム可能なアナログＹ／Ｃビデオ出力、
−  複数のプログラム可能なアナログ単色ビデオ出力、
−  複数のプログラム可能なアナログＨＳＹＮＣ出力、
−  複数のプログラム可能なアナログＶＳＹＮＣ出力、および
−  複数のプログラム可能なアナログＣＳＹＮＣ出力
を出力するように設計される合成出力インターフェースと、
・標準出力インターフェースであって、
−  ＳＴＡＮＡＧ  ３３５０  Ｃｌａｓｓ  Ｂに対応する複数のアナログＲＧＢビデオ出力、
−  ＰＡＬ規格に対応する複数のアナログ単色ビデオ出力、
−  ＰＡＬ規格に対応する複数のアナログＹ／Ｃビデオ出力、
−  ＰＡＬ規格に対応する複数のアナログＣＶＢＳビデオ出力、
−  ＳＴＡＮＡＧ  ３３５０  Ｃｌａｓｓ  Ｂに対応する複数のアナログＨＳＹＮＣ出力、
−  ＳＴＡＮＡＧ  ３３５０  Ｃｌａｓｓ  Ｂに対応する複数のアナログＶＳＹＮＣ出力、
−  ＳＴＡＮＡＧ  ３３５０  Ｃｌａｓｓ  Ｂに対応する複数のアナログＣＳＹＮＣ出力、
−  デジタルＤＶＩ出力、
−  複数のＬＶＣＭＯＳデジタルＨＳＹＮＣ出力信号、
−  複数のＬＶＣＭＯＳデジタルＶＳＹＮＣ出力信号、
−  複数のＬＶＣＭＯＳデジタルＣＳＹＮＣ出力信号、
−  差動デジタルＨＳＹＮＣ出力信号、および
−  差動デジタルＶＳＹＮＣ出力信号
を出力するように設計される標準出力インターフェースと
を含む請求項１〜８のいずれか一項に記載のビデオ生成・収集装置。
【請求項１０】
ビデオ表示システムを試験するためのＰＸＩシステム（１）であって、請求項１〜９のいずれか一項で請求したビデオ生成・収集装置（２）を含むＰＸＩシステム（１）。
【請求項１１】
ＰＸＩバス（１１）およびシステム・コントローラ（１２）を含み、前記システム・コントローラ（１２）および前記ビデオ生成・収集装置（２）が前記ＰＸＩバス（１１）に接続される、請求項１０に記載のＰＸＩシステム。
【考案の詳細な説明】
【技術分野】
【０００１】
本考案は、ビデオ生成・収集装置のためのＰＸＩ（ＰＣＩ  ｅＸｔｅｎｓｉｏｎｓ  ｆｏｒ  Ｉｎｓｔｒｕｍｅｎｔａｔｉｏｎ）装置に関する。
【０００２】
本考案は、異なるビデオ・フォーマットおよび／または規格に基づくインターフェースを備えるビデオ表示システム、特に、アナログ入力および／または出力インターフェースおよび／またはデジタル入力インターフェースを備え、民生用または軍事利用のために設計されたビデオ表示システムを分析かつ試験するために、有利には、使用することができる。
【０００３】
特に、本考案は、自動車部門、航空部門、サイバー部門、国土安全保障部門、エネルギー部門、鉄道部門、生物医学部門等において使用されるビデオ表示システムの試験を含むがそれらに限られない用途において有利である。
【背景技術】
【０００４】
周知のように、たとえば、航空機、列車、自動車、製造工場、エネルギー生産施設、生物医学装置等において使用されている多数の重要なシステムの効率は、精緻なビデオ表示システムおよび／またはビデオ表示システムの精緻なグラフィック・ヒューマン・マシン・インターフェース（ＨＭＩ）に依存している。
【０００５】
特に、ますます複雑化、柔軟化、高性能化するビデオ表示システムが近年考案され、そのためにかかるシステムの信頼性を十分に保証するために必要な試験の量が著しく増加している。
【０００６】
現在、特殊な電子装置を使用して、特にビデオ表示システムの入力インターフェースに所定のビデオ・パターンを供給することによって、ビデオ表示システムが試験されている。
【考案の概要】
【考案が解決しようとする課題】
【０００７】
ビデオ表示システムの複雑性および柔軟性の増大、およびそれ故のかかるシステムの試験の困難性を考慮し、本出願人は、ビデオ表示システムを試験するための革新的な電子装置を考案する必要性を感じてきた。その装置は、ビデオ信号を収集し、ビデオ・パターンを生成するよう設計され、高効率かつ使いやすい装置である。
【０００８】
したがって、ビデオ信号を収集し、ビデオ・パターンを生成するように設計され、高効率かつ使いやすい革新的な電子装置を提供することが本考案の１つの目的である。
【課題を解決するための手段】
【０００９】
本考案は添付請求項により定義されるとおりビデオ生成・収集装置に関するため、上記目的は本考案により達成される。
【００１０】
特に、本考案は、ＰＸＩ技術に基づいており、かつ、
・１つ以上の被試ビデオ表示システムおよび／または１つ以上のビデオ源から異なるビデオ・フォーマットを備える複数の入力ビデオ信号を収集すること
・１つ以上の入力同期信号を受信すること
・１つ以上の入力ビデオ信号を処理すること
・１つ以上の入力ビデオ信号からフレーム取り込むこと
・異なるビデオ・フォーマットを備える複数のビデオ・テスト・パターンを生成かつ出力すること、および
・異なるビデオ・フォーマットを備え、かつ、それぞれ、それぞれの入力同期信号と同期している１つ以上のビデオ信号を生成かつ出力すること
を行うように設計されるビデオ再生・取得装置に関するため、上記目的は本考案により達成される。
【００１１】
ビデオ発生・収集装置は、ソフトウェアを経由し、かつ、ＰＸＩバスにより完全に制御できるように設計することが好ましい。
【００１２】
さらに、ビデオ生成・収集装置は、時間および振幅に関して完全に制御可能なビデオ出力インターフェースを含むことが好ましい。
【００１３】
好都合には、このビデオ発生・収集は、
・いくつかの入力インターフェースを備え、かつ、ＰＸＩバスに接続されるように設計され、かつ、
−  ＰＸＩバス経由のコマンドおよび／またはコントローラからの制御信号、および
−  入力インターフェース経由の電源供給、異なるビデオ・フォーマットを備えるいくつかの入力ビデオ信号および１つ以上の入力同期信号
を受信するように設計されるマスターＰＸＩボードと、
・いくつかのビデオ出力インターフェースを備え、マスターＰＸＩボードとサンドイッチ式に機械的に結合され、かつ、
−  マスターＰＸＩボードからマスター・クロック信号および電源供給を受けること、および
−  少なくとも１つのシリアル通信バス経由でマスターＰＸＩボードとデータを交換すること
を行うように設計されるスレーブＰＸＩボードと
を含む。
【００１４】
さらに好都合には、マスターＰＸＩボードは、
・異なるビデオ・フォーマットを備える複数の入力ビデオ信号を入力インターフェース経由で収集すること
・特殊な図形処理装置により１つ以上の入力ビデオ信号の図形処理を行うこと
・電源の供給およびリセットを管理すること
・ＰＸＩバスへのインターフェースとして動作すること、および
・このビデオ信号生成・収集装置全体を管理・制御すること
を行うように設計される。
【００１５】
さらにより好都合には、スレーブＰＸＩは、
・異なるビデオ・フォーマット備える複数のビデオ・テスト・パターンおよび異なるビデオ・フォーマットを備え、かつ、それぞれ、それぞれの入力同期信号と同期する１つ以上のビデオ信号を生成し、ビデオ出力インターフェース経由で出力すること、および
・ビデオ出力インターフェースを管理し、かつ、プログラムすること
を行うよう設計される。
【００１６】
本考案のよりよい理解のために、純粋に例示のみを意図しており、限定的と解釈されるべきでない好ましい実施形態について添付図面（原寸に比例していない）を参照しつつ記述する。
【図面の簡単な説明】
【００１７】
【図１】図１は、本考案の好ましい実施形態によるビデオ生成・収集装置を含むＰＸＩシステムを図式的に示す。
【図２】図２は、図１に示したビデオ生成・収集装置のマスターＰＸＩボードをより詳しく示す。
【図３】図３は、図２に示したマスターＰＸＩボードのための本考案の好ましい実施形態による性能最適化配置を示す。
【図４】図４は、図１に示したビデオ生成・収集装置のスレーブＰＸＩボードのための本考案の好ましい実施形態による性能最適化配置を示す。
【図５】図５は、図１に示したビデオ生成・収集装置の写真を示す。
【考案を実施するための形態】
【００１８】
以下の記述は、当業者が本考案を実施かつ使用できるようにするために提供される。請求される本考案の範囲から逸脱することなく、実施形態に対する異なる変更が当業者にとって容易に明らかになるであろう。したがって、本考案は、例示かつ記述される実施形態に限定されることは意図しておらず、よって、この出願において記述かつ請求される原理および特徴に合致する最も広い保護範囲が与えられるものとする。
【００１９】
本考案は、ＰＸＩプラットホームに準拠するビデオ生成・収集装置、すなわちＰＸＩ技術に基づく装置、すなわち、ＰＸＩバスとの接続および／またはＰＸＩシステムへの組込を目的として設計されるビデオ生成・収集装置に関する。
【００２０】
特に、本考案によるビデオ生成・収集装置は、２つのＰＸＩスロットを全面的に占有する２枚のサンドイッチ結合ＰＸＩボードを含んでいる。
【００２１】
詳しくは、本考案によるビデオ生成・収集装置は、
・たとえば１つ以上の被試ビデオ表示システムおよび／または１つ以上のビデオ源から、異なるビデオ・フォーマットを備え、かつ／または異なるビデオ規格に基づく複数のビデオ信号を収集すること
・異なるフォーマットを備え、かつ／または異なるビデオ規格に基づく複数のビデオ・インターフェースを備えるビデオ表示システムを試験するために、異なるビデオ・フォーマットを備え、かつ／または異なるビデオ規格に基づく複数のビデオ・パターンを生成すること
・時間および振幅に関して完全にプログラム可能なビデオ出力インターフェースを備えること、および
・フレーム取り込みおよびゲンロック機能などの多くの機能を実現すること
を行うように設計される。
【００２２】
ゲンロック機能に関しては、これは、本考案によるビデオ生成・収集装置により与えられる非常に重要な機能である。事実、ゲンロック機能は、実行された場合、ビデオ生成・収集装置に、入力基準信号と同期している出力ビデオ信号を生成させる。
【００２３】
ビデオ生成・収集装置は、ソフトウェア経由およびＰＸＩバスにより全面的に制御可能である。
【００２４】
好都合には、ビデオ生成・収集装置は、
・ビデオ表示システムを試験するために異なるビデオ・フォーマットを備え、かつ／または異なるビデオ規格に基づくテスト・ビデオ・パターンを生成すること、および／または
・基準画像との自動比較のために、１つ以上の被試ビデオ表示システムから異なるビデオ・フォーマットを備え、かつ／または異なるビデオ規格に基づくビデオ信号を収集すること、および／または
・入力において受信されたかまたは１つ以上のビットマップ・ファイルに基づいて生成されたかまたは合成的に生成され、かつ、外部基準と同期された画像を出力すること（ゲンロック機能）
のために使用することができる：
【００２５】
さらに、ビデオ生成・収集装置は、好都合には、
・ＰＸＩコアに基づく自動試験システムに組み込まれるツール、および／または
・自分自身のコントローラを備えるＰＸＩラックに挿入されるスタンドアロン装置
として使用することができる。
【００２６】
これに関連して、図１は、ビデオ表示システムを試験するＰＸＩシステムのアーキテクチャ・ブロック・ダイアグラム（全体として１により指示されている）を示す。このＰＸＩシステムは、本考案の好ましい実施形態によるビデオ生成・収集装置（全体として２により指示されている）を含んでいる。
【００２７】
特に、図１に示すように、ＰＸＩシステム１は、
・ＰＸＩバス１１
・ＰＸＩバス１１に接続されるシステム・コントローラ１２、および
・ＰＸＩバス１１に接続されるビデオ生成・収集装置２
を含む。
【００２８】
詳しくは、ビデオ生成・収集装置２は、
・ＰＸＩバス１１に接続され、いくつかの入力インターフェースを備え、かつ、
−  ＰＸＩバス１１経由のコマンドおよび／またはシステム・コントローラ１２からの制御信号、および
−  入力インターフェース経由の電源供給および異なるフォーマット／規格を備える入力ビデオ信号および１つ以上の同期信号を含むいくつかの入力信号
を受信するように設計されるマスターＰＸＩボード２１と、
・ビデオ出力インターフェースを含むいくつかの出力インターフェースを備え、マスターＰＸＩボード２１（スレーブＰＸＩボード２２は、図１に記述を分かりやすくするためにのみマスターＰＸＩボード２１から離して表示されている）にサンドイッチ結合され、
−  そこからマスター・クロック信号および電源供給を受けること、および
−  そこと１つ以上のシリアル通信バス経由、好ましくはＩ２Ｃバス経由でデータを交換すること
を行うように設計されるスレーブＰＸＩボード２２と
を含む。
【００２９】
特に、スレーブＰＸＩボード２２は、特殊コネクタおよび精密構造によりマスターＰＸＩボード２１とサンドイッチ式に機械的に接続される。
【００３０】
マスターＰＸＩボード２１は、
・ビデオ収集
・特殊図形処理装置（ＧＰＵ）（表示簡素化のために図１には示されていない）の手段による図形処理
・電源の供給およびリセットの管理
・ＰＸＩバス１１とのインターフェース、および
・ビデオ生成・収集装置２全体の一般的な管理および制御
のための専用である。
【００３１】
スレーブＰＸＩボード２２は、
・出力ビデオ・パターンおよび出力同期ビデオ信号の生成、および
・ビデオ出力インターフェースの管理およびプログラミング
のための専用である。
【００３２】
好ましくは、スレーブＰＸＩボード２２は、ビデオ生成・収集装置２のアナログ部分のすべてを含み、かつ、フレーム取り込みのために専用される処理部分への収集ビデオ信号のドライバとして動作するように設計される。
【００３３】
両ＰＸＩボードは、プログラム可能な構成要素を備えている。
【００３４】
特に、マスターＰＸＩボード２１は、
・リセットの管理
・入力信号のＧＰＵへの送り込み
・同期入力に基づくゲンロック機能の実行
のための専用である結合プログラム可能論理回路（ＣＰＬＤ）（図示を簡素化するために図１には示されていない）を含む。
【００３５】
スレーブＰＸＩボード２２は、
・ＧＰＵから出力コネクタへの出力の送り込み
・ビデオ信号および同期出力のモデル化
・倍データ転送速度同期型ＤＲＡＭ（ＤＤＲ  ＳＤＲＡＭ）（図示を簡素化するために図１には示されていない）の制御
・識別タグの出力ビデオ・パターンに対する重畳
・ＰＸＩバス１１の管理
のための専用であるフィールド・プログラマブル・ゲート・アレイ（ＦＰＧＡ）（図示を簡素化するために図１には示されていない）を含む。
【００３６】
さらに、ＧＰＵは、周辺構成要素相互接続（ＰＣＩ）プロトコルおよびビデオ変換のためのデジタル・アナログ・コンバータ（ＤＡＣ）およびアナログ・デジタル・コンバータ（ＡＤＣ）（図示を簡素化するために図１には示されていない）をプログラムするために使用されるＩ２Ｃバスを管理する。
【００３７】
このボードは、完全にプログラム可能であり、かつ、完全にＩＴＡＲフリーである（ここでＩＴＡＲは、国際武器取引規則を指す）。
【００３８】
ビデオ生成・収集装置２をさらに詳しく説明するために、マスターＰＸＩボード２１の機能ブロック・ダイアグラムを図２に示す。ここでもＧＰＵ（２１１として指示されている）およびプログラマブル論理装置（ＰＬＤ）（２１２として指示されている）が示されている。特に、図２に関連して、図２に示されている機能ブロック・ダイアグラムが当業者にとって容易にかつ明瞭に理解可能であるという事実に注目することが大切である。したがって、この説明を必要以上に長くしないために、以下においては、いくつかの特徴および図２に示す構成要素については、説明しない。それらは、前述したように、当業者にとって容易に明瞭に理解できるからである。
【００３９】
ＰＸＩバス１１を備えるメイン・コントローラの役割は、特殊ファームウェアによりマスターＰＸＩボード２１とＰＸＩバス１１間のインターフェース信号を使用中に管理するＰＬＤ２１２に与えられている。さらに、ＰＬＤ２１２に対し、正しいプロトコル・タイミングを確保するタスクも割り当てられている。
【００４０】
好都合には、ＰＬＤ２１２は、それぞれ、それぞれの専用ファームウェアにより管理される８個の独立関心領域に分割されている。
【００４１】
電源管理の重要性を考慮して、ビデオ生成・収集装置２は、それぞれ残留リップル（３つの電源について）１００μＶ未満の３種類の電源を備えるように設計することが好ましい。ビデオ生成・収集装置２は熱的に平衡しており、その単独消費は約１．１Ａ、電流の動的変動は最大１．８４Ａ以下である。最も大きな動的負荷は、ＧＰＵ２１１が図形処理を行っているときに発生する。
【００４２】
ビデオ生成・収集装置２は、好都合には、超高精度値マスター・クロック信号のための特殊な発振器を利用するクロックの制御および管理の論理により設計され、同期信号の仕様は１０億あたり±０．０５のレベルである。
【００４３】
ビデオ生成・収集装置２は、最高の技術規格に従い、テスト容易性設計、単価および信号品位設計の概念を最大限尊重して十分に設計される。特に、前記工学概念は、ビデオ生成・収集装置２の性能最適化配置をもたらした。これに関連して、図３および４は、それぞれ、マスターＰＸＩボード２１およびスレーブＰＸＩボード２２の本考案の好ましい実施形態による性能最適化配置を示す。特に、図３および４に関連して、図３および４に示されている配置が当業者にとって容易にかつ明瞭に理解可能であるという事実に注目することが大切である。
【００４４】
下記においては、説明の簡素化のために、既知のビデオ規格および／またはフォーマット（ＲＧＢ、Ｙ／Ｃ、ＣＶＢＳ、ＣＹＳＮＣ、ＨＳＹＮＣ、ＶＳＹＮＣ、ＰＡＬ等など）に関するいくつかの既知の頭字語を使用する。これらの頭字語は、当業者には容易に明瞭に理解される。
【００４５】
好都合には、ビデオ生成・収集装置２は、以下の主要な機能を備えるためにおよび／または提供するためにおよび／または実現するように設計される、すなわち、
・ロード可能なビットマップ・ビデオ・パターン
・合成的ビデオ・テスト・パターン生成
・多重表示（たとえば４以下）のためのビデオＲＧＢテスト・パターン生成
・ビデオ試験信号生成(ＷＦＧ／ＣＳＧ)、
・外部ビデオ源(ＣＶＢＳおよび／またはＹ／Ｃおよび／またはＲＧＢ)からのビデオ収集（またはキャプチャーまたはライブ）
・入力ビデオからのフレーム取り込み
・アルファ・ブレンディングおよび透明性機能を備える入力ビデオと３つ以下の合成画像間の出力オーバーレイ
・ＣＳＹＮＣ外部同期（オーバーレイ＋ゲンロック）、特にゲンロック機能のためのビデオ入力、ＣＳＹＮＣ、ブラック−バースト外部同期
・ビデオ同期ジェネレータ(ＲＧＢ出力ＤＡＣ上のＣＹＳＮＣ、ＨＳＹＮＣ、ＶＳＹＮＣ)
・振幅および時間プログラマブル・ビデオ同期生成
・ＬＶＤＳ、ＬＶＴＴＬ、ＬＶＣＭＯＳビデオ出力同期生成
・ビデオ・コンポジット信号ジェネレータ(ＣＶＢＳおよび／またはＹ／Ｃ出力)
・ＦＰＧＡによるコンポジット・ビデオ信号エンコーダ(ＣＶＢＳおよび／またはＹ／Ｃ)
・ＳＴＡＮＡＧ対応、特にＳＴＡＮＡＧ  ３３５０  Ｃｌａｓｓ  Ｂ準拠ビデオ出力
・ＰＡＬ対応ビデオ出力
・ＴＣＰ／ＩＰインターフェースによる遠隔制御
・ＳＹＮＣおよびビデオ信号の完全独立電圧レベル・プログラム可能性
・適応制御によるＲＧＢ出力電圧ミスマッチ修復
・ＤＶＩ(デジタル視覚インターフェース)出力
・好都合にはそれぞれの重畳タグにより特徴付けられる複数の（たとえば１２以下）独立単色ビデオ信号出力、および
・複数の（たとえば６以下）単色、Ｙ／Ｃ、ＣＶＢＳ、ＲＧＢ規格外ビデオ信号の合成、および
・複数の（たとえば４以下）独立ＲＧＢ出力。
【００４６】
ビデオ生成・収集装置２、特にマスターＰＸＩボード２１の入力インターフェースは、以下を含むことが好ましい、すなわち、
・アナログ・ビデオ同期入力
・デジタルＴＴＬビデオ同期入力
・Ｙ／Ｃアナログ・ビデオ入力
・アナログ・ブラック・バースト・ビデオ入力
・複数のアナログＣＶＢＳビデオ入力、および
・アナログＲＧＢビデオ入力。
【００４７】
ビデオ生成・収集装置２、特にスレーブＰＸＩボード２２の出力インターフェースも下記を含むことが好ましい、すなわち、
・−  複数のプログラム可能アナログＲＧＢビデオ出力
−  複数のプログラム可能アナログ・コンポジット・ビデオ出力、
−  複数のプログラム可能アナログＣＶＢＳビデオ出力
−  複数のプログラム可能アナログＹ／Ｃビデオ出力
−  複数のプログラム可能アナログ単色ビデオ出力
−  複数のプログラム可能アナログＨＳＹＮＣ出力
−  複数のプログラム可能アナログＶＳＹＮＣ出力および
−  複数のプログラム可能アナログＣＳＹＮＣ出力
を与えるように設計される複数（たとえば６つ）の時間および振幅に関してプログラム可能な合成出力インターフェースと、
・−  ＳＴＡＮＡＧ  ３３５０  Ｃｌａｓｓ  Ｂに対応する複数のアナログＲＧＢビデオ出力
−  ＰＡＬ規格に対応する複数のアナログ単色ビデオ出力
−  ＰＡＬ規格に対応する複数のアナログＹ／Ｃビデオ出力
−  ＰＡＬ規格に対応する複数のアナログＣＶＢＳビデオ出力
−  ＳＴＡＮＡＧ  ３３５０  Ｃｌａｓｓ  Ｂに対応する複数のアナログＨＳＹＮＣ出力
−  ＳＴＡＮＡＧ  ３３５０  Ｃｌａｓｓ  Ｂに対応する複数のアナログＶＳＹＮＣビデオ出力
−  ＳＴＡＮＡＧ  ３３５０  Ｃｌａｓｓ  Ｂに対応する複数のアナログＣＳＹＮＣ出力
−  デジタルＤＶＩ出力（たとえば５０  Ｈｚにおける８００ｘ６００、６０  Ｈｚにおける８００ｘ６００、５０  Ｈｚにおける１０２４ｘ７６８、６０  Ｈｚにおける１０２４ｘ７６８）
−  複数のＬＶＣＭＯＳデジタルＨＳＹＮＣ出力信号
−  複数のＬＶＣＭＯＳデジタルＶＳＹＮＣ出力信号
−  複数のＬＶＣＭＯＳデジタルＣＳＹＮＣ出力信号
−  差動デジタルＨＳＹＮＣ出力信号および
−  差動デジタルＶＳＹＮＣ出力信号
を与えるように設計される複数の（たとえば６）標準出力インターフェース。
【００４８】
ビデオ生成・収集装置２を製造するために使用できる好ましい技術は、次のとおりである、すなわち、
・表面実装技術(ＳＭＴ)(マイクロおよびミニ・ボール・グリッド・アレイ(ＢＧＡ)、コンポーネント０４  ０２、ファイン・ピッチ)
・圧入実装技術
・無鉛組立およびＲＯＨＳ準拠(ヨーロッパ連合の危険物質制限命令による)物質、および
・ＩＰＣ  Ｃｌａｓｓ  ２消費者品質定格
【００４９】
これに関連して、図５は、本出願人により製造されたビデオ生成・収集装置２の写真を示す。
【００５０】
前述から、本考案によるビデオ生成・収集装置がそれに高い効率および使用上の便益を与える複数の革新的技術特徴を有することは明らかである。
【００５１】
特に、今日、ビデオを同時に収集および生成できるＰＸＩバスに基づく単一のビデオ試験ツールが存在しないという事実に注意することが大切である。ＰＸＩ技術に基づかない独立ビデオ試験装置を考慮しても、今日、
・本考案によるビデオ生成・収集装置の場合の量に匹敵する量の同時入力および出力を与えること、および
・本考案によるビデオ生成・収集装置により遂行され得る機能のすべてを実行すること
を行うことができる単一の独立ビデオ試験装置は存在しない。
【００５２】
特に、本考案によるビデオ生成・収集装置の前述の機能を実行する能力は、前記装置の使用において以下の技術的利益をもたらす、すなわち、
・数個の別々の装置の代わりに単一のツールを使用する可能性
・複数の非ＰＸＩツールをサポートするために必要な機械的手段の除去およびその結果としてのそれらの設計費用および機械的実現のための費用の除去、および
・複数のツールではなく単一の装置に自動試験ソフトウェアを組み込む複雑性、時間および費用の低減。
【００５３】
本考案によるビデオ生成・収集装置は、ソフトウェア経由でＰＸＩバスにより完全に制御できる単一ツールにより被試システムの異なるビデオ・フォーマット／規格に基づく複数のビデオ・インターフェースを同時に刺激しつつ、外部同期基準との同期（ゲンロック機能）の可能性を与える。
【００５４】
さらに、本考案によるビデオ生成・収集装置の配置はスペースを節減し、その設計は非常に優れた雑音阻止および並外れた信号完全性の実現を可能にする。
【００５５】
特に、本出願人は、最大埋め込み技術設計の概念に従い、最高度に集積された構成部品を使用し、ＭＴＢＦ（平均故障間隔）パラメータを最長に増大し、修理時間を最短化すべく試験のための設計を最適化することにより本考案によるビデオ生成・収集装置を設計した。
【００５６】
さらに、本出願人は、高い精度と安定性を備える機械的取り付けによる特殊化メザニンの特徴付けを有する共通コア・ボードに実装される数個のモジュールを使用することにより、本考案によるビデオ生成・収集装置を設計した。
【００５７】
最後に、本考案に対する複数の変更および変形が可能であることは明らかであるが、それらは、すべて、添付の請求項において定義される本考案の保護の範囲内に属する。
【図１】
0003185767.tif 000003
【図２】
0003185767.tif 000004
【図３】
0003185767.tif 000005
【図４】
0003185767.tif 000006
【図５】
0003185767.tif 000007
【手続補正書】
【提出日】平成25年7月2日(2013.7.2)
【手続補正１】
【補正対象書類名】実用新案登録請求の範囲
【補正対象項目名】全文
【補正方法】変更
【補正の内容】
【実用新案登録請求の範囲】
【請求項１】
ＰＸＩ技術に基づくビデオ生及び収集装置（２）であって、
１つ以上の被試ビデオ表示システムおよび／または１つ以上のビデオ源から異なるビデオ・フォーマットを備える複数の入力ビデオ信号を収集するビデオ信号を収集する収集手段と、
１つ以上の入力同期信号を受信する入力同期信号受信手段と、
１つ以上の前記入力ビデオ信号を処理し、１つ以上の前記入力ビデオ信号からフレームを取り込む入力ビデオ信号処理手段と、
異なるビデオ・フォーマットを備える複数のビデオ・テスト・パターンを生成かつ出力するビデオ・テスト・パターン生成手段と、
異なるビデオ・フォーマットを備え、かつ、それぞれ、それぞれの入力同期信号と同期している１つ以上のビデオ信号を生成かつ出力する同期ビデオ信号生成手段と
を備える
ビデオ生成及び収集装置（２）。
【請求項２】
ソフトウェアを経由し、かつ、ＰＸＩバスにより完全に制御可能に構成された請求項１に記載のビデオ生成及び収集装置。
【請求項３】
時間および振幅に関して完全にプログラム可能なビデオ出力インターフェースを含む請求項１または２に記載のビデオ生成及び収集装置。
【請求項４】
いくつかの入力インターフェースを備え、かつ、ＰＸＩバス（１１）に接続されるように構成され、
更に、
前記ＰＸＩバス（１１）経由のコマンドおよび／またはコントローラ(１２)からの制御信号、および
前記入力インターフェース経由の電源の供給と、異なるビデオ又はフォーマットをもついくつかの入力ビデオ信号と、および１つ以上の入力同期信号と
を受信するように構成されたマスターＰＸＩボード（２１）と、
いくつかのビデオ出力インターフェースを備え、かつ、前記マスターＰＸＩボード（２１）とサンドイッチ方式により機械的に結合され、
更に、
前記マスターＰＸＩボード（２１）からマスター又はクロック信号および電源供給を受信し、かつ、
少なくとも１つのシリアル通信バス経由で前記マスターＰＸＩボード（２１）とデータを交換する
ように構成されたスレーブＰＸＩボード（２２）と
を有する請求項１〜３のいずれか一項に記載のビデオ生成及び収集装置。
【請求項５】
前記マスターおよびスレーブＰＸＩボード（２１、２２）をそれらの間のデータ交換のために接続するＩ２Ｃシリアル通信バスを有する請求項４に記載のビデオ生成及び収集装置。
【請求項６】
前記マスターＰＸＩボード（２１）が、
前記入力インターフェース経由で異なるビデオ又はフォーマットをもつ複数の入力ビデオ信号を収集することと、
特殊図形処理装置（２１１）により１つ以上の前記入力ビデオ信号の図形処理を行うことと、
又は前記電源の供給およびリセットを管理することと、
前記ＰＸＩバス（１１）へのインターフェースとして動作することと、
前記ビデオ生成又は収集装置（２）全体を管理かつ制御することと
を行うように設計される請求項４または５に記載のビデオ生成及び収集装置。
【請求項７】
前記スレーブＰＸＩボード（２２）が、
異なるビデオ又はフォーマットをもつ複数のビデオ又はテスト又はパターン、および異なるビデオ又はフォーマットを備え、かつ、それぞれ、それぞれの入力同期信号と同期している１つ以上のビデオ信号を生成し、かつ、前記ビデオ出力インターフェース経由で出力することと、
前記ビデオ出力インターフェースを管理およびプログラムすることと
を行うように設計される、請求項４〜６のいずれか一項に記載のビデオ生成及び収集装置。
【請求項８】
アナログ又はビデオ同期入力、
デジタルＴＴＬビデオ同期入力、
Ｙ／Ｃアナログ・ビデオ入力、
アナログ・ブラック・バースト・ビデオ入力、
複数のアナログＣＶＢＳビデオ入力、および
アナログＲＧＢビデオ入力
を受信するように設計される入力インターフェースを含む、請求項１〜７のいずれか一項に記載のビデオ生成及び収集装置。
【請求項９】
時間および振幅に関してプログラム可能な合成出力インターフェースと、標準出力インターフェースとを備え、
前記時間および振幅に関してプログラム可能な合成出力インターフェースは、
複数のプログラム可能なアナログＲＧＢビデオ出力と、
複数のプログラム可能なアナログ又はコンポジットビデオ出力と、
複数のプログラム可能なアナログＣＶＢＳビデオ出力と、
複数のプログラム可能なアナログＹ／Ｃビデオ出力と、
複数のプログラム可能なアナログ単色ビデオ出力と、
複数のプログラム可能なアナログＨＳＹＮＣ出力と、
複数のプログラム可能なアナログＶＳＹＮＣ出力と、
複数のプログラム可能なアナログＣＳＹＮＣ出力と
を出力するように構成され、
前記標準出力インターフェースは、
ＳＴＡＮＡＧ  ３３５０  Ｃｌａｓｓ  Ｂに対応する複数のアナログＲＧＢビデオ出力と、
ＰＡＬ規格に対応する複数のアナログ単色ビデオ出力と、
ＰＡＬ規格に対応する複数のアナログＹ／Ｃビデオ出力と、
ＰＡＬ規格に対応する複数のアナログＣＶＢＳビデオ出力と、
ＳＴＡＮＡＧ  ３３５０  Ｃｌａｓｓ  Ｂに対応する複数のアナログＨＳＹＮＣ出力と、
ＳＴＡＮＡＧ  ３３５０  Ｃｌａｓｓ  Ｂに対応する複数のアナログＶＳＹＮＣ出力と、
ＳＴＡＮＡＧ  ３３５０  Ｃｌａｓｓ  Ｂに対応する複数のアナログＣＳＹＮＣ出力と、
デジタルＤＶＩ出力と、
複数のＬＶＣＭＯＳデジタルＨＳＹＮＣ出力信号と、
複数のＬＶＣＭＯＳデジタルＶＳＹＮＣ出力信号と、
複数のＬＶＣＭＯＳデジタルＣＳＹＮＣ出力信号と、
差動デジタルＨＳＹＮＣ出力信号と、
差動デジタルＶＳＹＮＣ出力信号と
を出力するように構成される請求項１〜８のいずれか一項に記載のビデオ生成及び収集装置。
【請求項１０】
ビデオ表示システムを試験するためのＰＸＩシステム（１）であって、請求項１〜９のいずれか一項で請求したビデオ生成及び収集装置（２）を含むＰＸＩシステム（１）。
【請求項１１】
ＰＸＩバス（１１）およびシステム・コントローラ（１２）を有し、前記システム・コントローラ（１２）および前記ビデオ生成及び収集装置（２）が前記ＰＸＩバス（１１）に接続されている、請求項１０に記載のＰＸＩシステム。
【手続補正２】
【補正対象書類名】図面
【補正対象項目名】図５
【補正方法】変更
【補正の内容】
【図５】
0003185767.tif 000008